(57)【要約】【課題】エア供給部の作動が停止した時に、芳香を遮断することができること。【解決手段】本発明は、エア供給部３と、容器４と、蓋部材２と、を備える。蓋部材２は、蓋５と、気泡発生管６と、弁７と、を有する。弁７は、常時閉じていて、エア供給部３の駆動により容器４中の圧力（内圧７３）が容器４外の圧力（外圧７２）よりも大となった時に開いて、容器４中の芳香空気７４を外に発散させる。この結果、本発明は、エア供給部３の作動が停止した時に、開いていた弁７が閉じて、芳香を遮断することができる。【選択図】        図１
2019071993.tif 000002
【特許請求の範囲】
【請求項１】
エアを供給するエア供給部と、
液体香料が収容されていて、取付部を有する容器と、
蓋部材と、
を備え、
前記蓋部材は、
前記取付部に取り付けられている蓋と、
前記蓋に設けられていて、一端が前記エア供給部に接続されていて、他端が前記液体香料中に配置されていて、前記エア供給部から供給される前記エアを前記液体香料中に気泡として発生させる気泡発生管と、
前記蓋に設けられ、前記容器内の前記エアの圧力が規定の正圧以上となった際に開いて前記容器中で前記液体香料の香成分を含んだ前記エアを前記容器の外部に放出させる逆止弁と、
を有する、
ことを特徴とするアロマディフューザー。
【請求項２】
前記エア供給部は、エアの供給量を調節するエア調節弁を有する、
ことを特徴とする請求項１に記載のアロマディフューザー。
【請求項３】
エア分岐供給部を備え、
前記エア分岐供給部は、前記エア供給部と前記蓋とに接続されていて、前記エア供給部から供給されるエアを、前記気泡発生管中に供給する気泡用エアと、前記容器中に供給する加圧用エアとに、分岐する、
ことを特徴とする請求項１または２に記載のアロマディフューザー。
【請求項４】
前記エア分岐供給部は、前記気泡用エアと前記加圧用エアとの分岐供給量を調節する分岐調節弁を有する、
ことを特徴とする請求項３に記載のアロマディフューザー。
【発明の詳細な説明】
【技術分野】
【０００１】
本発明は、アロマディフューザーに関する。
【背景技術】
【０００２】
液体香料（アロマオイルなど）を気化させて芳香空気（芳香が付与された空気）を発生させ、その芳香空気を外に発散させて芳香を楽しむアロマディフューザーとして特許文献１に示すものがある。特許文献１の芳香発生器は、圧縮空気源と、液体香料が収容されている香料容器と、香料容器に取り付けられている容器ふたと、一端が液体香料中に開口し、他端が香料ふたの入口通路に通じる気泡発生管と、を備えるものである。以下、作用について説明する。圧縮空気源からの圧縮空気を気泡発生管を介して液体香料中に供給する。すると、エアが気泡となって液体香料中を上昇する。その際に、曝気作用による液体香料へのエア供給と共に気泡による液体香料の撹拌作用により、気泡中に香料が蒸気化して混じり込んで、芳香空気が発生する。その芳香空気が容器ふたの出口通路を通って外に発散する。
【先行技術文献】
【特許文献】
【０００３】
【特許文献１】特開平７−２８０２９７号公報
【発明の概要】
【発明が解決しようとする課題】
【０００４】
しかしながら、特許文献１の芳香発生器は、容器ふたに入口通路と出口通路とを設けるものであるから、圧縮空気源からの圧縮空気の供給が停止された状態においても、香料容器中の芳香空気が容器ふたの出口通路を通って外に発散する。この結果、特許文献１の芳香発生器は、圧縮空気源の作動が停止して芳香の発生を停止させているのにもかかわらず、芳香が漂い、芳香を遮断することができない。
【０００５】
本発明が解決しようとする課題は、エア供給部の作動が停止した時に、芳香を遮断することができるアロマディフューザーを提供することにある。
【課題を解決するための手段】
【０００６】
本発明のアロマディフューザーは、エアを供給するエア供給部と、液体香料が収容されていて、取付部を有する容器と、蓋部材と、を備え、蓋部材が、取付部に取り付けられている蓋と、蓋に設けられていて、一端がエア供給部に接続されていて、他端が液体香料中に配置されていて、エア供給部から供給されるエアを液体香料中に気泡として発生させる気泡発生管と、蓋に設けられ、容器内のエアの圧力が規定の正圧以上となった際に開いて容器中で液体香料の香成分を含んだエアを容器の外部に放出させる逆止弁と、を有する、ことを特徴とする。
【０００７】
本発明のアロマディフューザーは、エア供給部が、エアの供給量を調節するエア調節弁を有する、ことが好ましい。
【０００８】
本発明のアロマディフューザーは、エア分岐供給部を備え、エア分岐供給部が、エア供給部と蓋とに接続されていて、エア供給部から供給されるエアを、気泡発生管中に供給する気泡用エアと、容器中に供給する加圧用エアとに、分岐する、ことが好ましい。
【０００９】
本発明のアロマディフューザーは、エア分岐供給部が、気泡用エアと加圧用エアとの分岐供給量を調節する分岐調節弁を有する、ことが好ましい。
【発明の効果】
【００１０】
本発明は、エア供給部の作動が停止した時に、芳香を遮断することができるアロマディフューザーを提供することができる。
【図面の簡単な説明】
【００１１】
【図１】図１は、本発明の実施形態１に係るアロマディフューザーを示す使用状態の概略縦断面図（概略垂直断面図）である。
【図２】図２は、弁の作用状態を示す説明断面図である。（Ａ）は、弁が閉じている状態を示す説明断面図である。（Ｂ）は、弁が開いている状態を示す説明断面図である。
【図３】図３は、アロマディフューザー用の蓋部材を示す概略縦断面図（概略垂直断面図）である。
【図４】図４は、本発明の実施形態２に係るアロマディフューザーを示す使用状態の概略縦断面図（概略垂直断面図）である。
【図５】図５は、本発明の実施形態３に係るアロマディフューザーを示す使用状態の概略縦断面図（概略垂直断面図）である。
【図６】図６は、アロマディフューザー用の蓋部材を示す概略縦断面図（概略垂直断面図）である。
【図７】図７は、アロマディフューザー用の容器部材を示す使用状態の概略縦断面図（概略垂直断面図）である。
【図８】図８は、本発明の実施形態４に係るアロマディフューザーを示す使用状態の概略平面図である。
【図９】図９は、本発明の実施形態５に係るアロマディフューザーを示す使用状態の概略平面図である。
【発明を実施するための形態】
【００１２】
以下、本発明に係るアロマディフューザーの実施形態（実施例）の５例について、図面を参照しながら詳細に説明する。なお、本発明は、前記の実施形態により限定されるものではない。
【００１３】
（構成の説明）
図１〜図３は、本発明に係るアロマディフューザーの実施形態１を示す。以下、この実施形態１に係るアロマディフューザー１（以下、単に「アロマディフューザー１」と称する）およびこのアロマディフューザー１用の蓋部材２（以下、単に「蓋部材２」と称する）の構成について説明する。
【００１４】
（アロマディフューザー１および蓋部材２の説明）
アロマディフューザー１は、エア供給部３と、蓋部材２と、容器４と、エア分岐供給部８と、を備える。蓋部材２は、蓋５と、気泡発生管６と、弁７と、を備える。
【００１５】
（エア供給部３の説明）
エア供給部３は、エア（圧縮エア）３０を供給するものである。エア供給部３は、モータ３１と、エア発生源としてのポンプ３２と、エア吐出口部３３と、エア供給管３４と、エア調節弁３５と、を有する。
【００１６】
モータ３１は、低電力で駆動可能な、例えば、ＰＷＭブラシレスモータを用いることができるが、他のモータでも良い。ポンプ３２は、モータ３１の駆動により、作動してエア吐出口部３３からエア３０を吐出する。エア供給管３４の一端は、エア吐出口部３３に接続されていて、かつ、エア供給管３４の他端は、エア分岐供給部８のＴ字状の分岐管８０に接続されている。エア調節弁３５は、この例では、図１中の二点鎖線にて示すように、エア供給管３４の途中に設けられている。エア調節弁３５は、エア３０の供給量を調節するものである。なお、エア調節弁３５を設けずに、モータ３１の駆動を調節して、エア３０の供給量を調節するようにしても良い。
【００１７】
（容器４の説明）
容器４は、この例では、光透過性の（透明な）ガラスもしくは合成樹脂から構成されている瓶、樹脂ボトル、樹脂パウチなどである。容器４中には、液体香料４０が収容されている。容器４の底部に対して反対側の部分には、首形状の取付部４１が一体に設けられている。この取付部４１には、開口部が設けられている。この開口部は、容器４の使用前では密閉蓋もしくは密閉シール（図示せず、図７中の密閉シール４０１を参照）により密閉されていて、容器４の使用時にこの密閉蓋もしくは密閉シールを剥がすことにより開口される。なお、容器４は、光不透過性の（不透明な）ガラスもしくは合成樹脂から構成されている瓶、樹脂ボトル、樹脂パウチなどであっても良い。
【００１８】
（蓋５の説明）
蓋５は、取付部５０を介して容器４の取付部４１に着脱可能に取り付けられている。蓋５と容器４との取付手段は、ねじ式、あるいは、嵌合式（いわゆる、パッチン嵌合）である。蓋５の天板部の一面（上面）には、筒形状の気泡用エア入口部５１と、筒形状の加圧用エア入口部５２と、筒形状の出口部５３と、が設けられている。また、蓋５の天板部には、取付孔５４が気泡用エア入口部５１に連通して設けられている。気泡用エア入口部５１の内面と取付孔５４の内面との間には、段部が形成されている。
【００１９】
（気泡発生管６の説明）
気泡発生管６は、この例では、可撓性のチューブから構成されている。気泡発生管６の一端（上端）部は、蓋５の取付孔５４の中に嵌入して、蓋５に着脱可能に設けられている。気泡発生管６の一端は、エア分岐供給部８の分岐管８０を介して、エア供給部３のエア供給管３４の他端に接続されている。気泡発生管６の他端（下端）は、容器４の液体香料４０中に配置されていて、開口している。気泡発生管６は、エア供給部３から供給されるエア３０を液体香料４０中に気泡６０として発生させる。
【００２０】
（弁７の説明）
弁７は、この例では、可撓性部材から構成されている逆止弁である。弁７は、筒形状の取付部７０と、２枚の板形状の弁部７１と、を有する。弁７の取付部７０は、蓋５の出口部５３に外側から嵌め込まれている。これにより、弁７は、蓋５に設けられている。弁部７１は、図１〜図３に示すように、取付部７０から先端にかけて傾斜している。また、弁部７１の先端は、平面視形状（上から見た形状）は、長方形形状をなす（図８、図９を参照）。
【００２１】
弁部７１は、常時、図２（Ａ）に示すように、弾性力で閉じている。弁部７１は、エア供給部３の駆動により、容器４内のエアの圧力７３（以下、「内圧７３」と称する）が規定の正圧７２（以下、「外圧７２」と称する）以上となった際に、図２（Ｂ）に示すように、弾性力に抗して開いて、容器４中の芳香空気（図２（Ｂ）中の破線矢印を参照）７４を外に発散させる。ここで、規定の正圧７２すなわち外圧７２は、大気圧よりも、弁部７１の弾性力に抗して弁部７１を開かせる圧力分高い圧力である。
【００２２】
（エア分岐供給部８の説明）
エア分岐供給部８は、分岐管８０と、接続管８１と、分岐調節弁８２と、を有する。分岐管８０は、Ｔ形状をなす。分岐管８０の中央は、エア供給部３のエア供給管３４の他端に接続されている。分岐管８０の一端（下端）は、蓋５の気泡用エア入口部５１および気泡発生管６の一端に接続されている。分岐管８０の他端（上端）は、接続管８１の一端に接続されている。接続管８１の他端は、蓋５の加圧用エア入口部５２に接続されている。
【００２３】
エア分岐供給部８は、エア供給部３から供給されるエア３０を、分岐管８０を介して気泡発生管６中に供給する気泡用エア３００と、分岐管８０および接続管８１を介して容器４中に供給する加圧用エア３０１とに、分岐する。
【００２４】
分岐調節弁８２は、この例では、図１中の二点鎖線にて示すように、接続管８１の途中に設けられている。分岐調節弁８２は、気泡用エア３００と加圧用エア３０１との分岐供給量を調節する。なお、分岐調節弁８２は、接続管８１ではなく、分岐管８０に設けても良い。
【００２５】
（作用の説明）
以下、アロマディフューザー１および蓋部材２の作用について説明する。
【００２６】
まず、図１に示す状態において、エア供給部３のモータ３１を駆動させる。すると、エア発生源としてのポンプ３２が作動して、エア３０がエア吐出口部３３から吐出してエア供給管３４を通ってエア分岐供給部８の分岐管８０に達する。分岐管８０に達したエア３０は、分岐管８０において、分岐管８０の下端側と上端側とに分岐される。
【００２７】
分岐管８０の下端側であって、蓋５の気泡用エア入口部５１側に分岐されたエア３０は、気泡用エア３００として気泡発生管６の上端から気泡発生管６中に供給される。気泡発生管６中に供給された気泡用エア３００は、気泡発生管６の下端から液体香料４０中に供給されて気泡６０となる。液体香料４０中において発生した気泡６０は、液体香料４０中を上昇する。
【００２８】
この気泡用エア３００の液体香料４０中への供給（エアレーション）作用と、気泡６０の液体香料４０中における上昇作用とにより、液体香料４０が撹拌される（図１中の白抜き矢印を参照）。それと同時に、液体香料４０が気化して気泡６０中に混じり込んで芳香空気７４が発生する。芳香空気７４を含む気泡６０が液体香料４０の液面に達成すると、気泡６０の水膜が破裂して芳香空気７４が容器４中に発散する。芳香空気７４は、容器４中の液体香料４０の液面より上方の空間に充満する。
【００２９】
一方、分岐管８０の上端側に分岐されたエア３０は、加圧用エア３０１として接続管８１を介して容器４中に供給される。容器４中に供給された加圧用エア３０１は、内圧７３を上げる。内圧７３が外圧７２よりも大きくなると、図２（Ｂ）に示すように、今まで外圧７２により閉じていた弁７の弁部７１が開く。この結果、容器４中の芳香空気７４が開状態の弁部７１から容器４の外に発散する。
【００３０】
ここで、分岐調節弁８２が開状態の場合、分岐管８０に達したエア３０は、まず、分岐管８０の上端側から加圧用エア３０１として容器４中に供給され、それから、分岐管８０の下端側から気泡用エア３００として気泡発生管６中に供給される。また、分岐調節弁８２が絞られた状態の場合、分岐管８０に達したエア３０は、分岐管８０の上端側から絞られながら加圧用エア３０１として容器４中に供給される一方、分岐調節弁８２より上流側の接続管８１および気泡発生管６内の圧力が高くなって液体香料４０の液圧よりも高くなった時に、分岐管８０の下端側から気泡用エア３００として気泡発生管６中に供給される。
【００３１】
モータ３１の駆動を停止させて、ポンプ３２の作動を停止させる。すると、エア３０（気泡用エア３００および加圧用エア３０１）の供給が停止して、内圧７３が下がって外圧７２と同等もしくはほぼ同等となり、この結果、図２（Ａ）に示すように、今まで内圧７３により開いていた弁部７１が閉じる。これにより、芳香空気７４の発散が遮断される。すなわち、容器４中の液体香料４０の芳香が遮断される。
【００３２】
モータ３１の駆動時間、すなわち、芳香空気７４の発散時間は、タイマーなど（図示せず）により、任意の時間に設定することができる。また、芳香空気７４の発散状態は、連続でも間欠でも良い。さらに、芳香空気７４の発散量（芳香の強弱）は、分岐調節弁８２を調節して、気泡用エア３００と加圧用エア３０１との分岐供給量を調節することにより、調節することができる。
【００３３】
容器４中の液体香料４０を使い切った時点で、蓋部材２の蓋５の取付部５０を、使い切った容器４の取付部４１から取り外し、新しい容器４の取付部４１に取り付ける。この時、気泡発生管６は、そのまま再利用しても良いし、新たなものを使用しても良い。また、液体香料４０の芳香が異なる場合においては、蓋５と気泡発生管６と弁７とを有する蓋部材２を新たなものに交換しても良い。
【００３４】
（効果の説明）
以上のような構成のアロマディフューザー１および蓋部材２は、常時閉じていて、エア供給部３の駆動により内圧７３が外圧７２よりも大となった時に開いて、容器４中の芳香空気７４を外に発散させる弁７を蓋５に設けている。この結果、アロマディフューザー１および蓋部材２は、蓋５を容器４に取り付けて使用した時に、エア供給部３の駆動を停止させると、弁７が閉じて容器４中の芳香空気７４の外への発散が遮断される。すなわち、アロマディフューザー１および蓋部材２は、エア供給部３の作動が停止した時に、芳香を遮断することができる。
【００３５】
アロマディフューザー１および蓋部材２は、容器４に取り付けられる蓋５を有するものである。この結果、アロマディフューザー１および蓋部材２は、容器４中の液体香料４０を使い切った時点で、蓋５を使い切った容器４から取り外して新しい容器４に取り付けることにより、液体香料４０を補充することができる。すなわち、アロマディフューザー１および蓋部材２は、容器４の交換により、液体香料４０を補充することができる。このため、アロマディフューザー１および蓋部材２は、詰め替え用の容器（図示せず）中の液体香料（図示せず）を使い切った容器４中に詰め替えて補充する場合と比較して、簡単にかつ手が液体香料４０に触れずに、液体香料４０を補充することができる。しかも、アロマディフューザー１および蓋部材２は、詰め替え時において発生する液体香料４０の芳香の発生や手への芳香の付着を抑制することができる。
【００３６】
アロマディフューザー１および蓋部材２は、液体香料４０が収容されている容器４を交換するだけで、再利用することができる。しかも、アロマディフューザー１および蓋部材２は、容器４の交換時に気泡発生管６を交換することができる。その上、アロマディフューザー１および蓋部材２は、芳香が異なる液体香料４０を使用する場合には、蓋５と気泡発生管６と弁７とを有する蓋部材２を新たなものに交換することができる。
【００３７】
アロマディフューザー１および蓋部材２は、気泡発生管６を介して液体香料４０中に気泡用エア３００を供給して発生させた気泡６０により、液体香料４０を撹拌させながら気化させるものである。このため、アロマディフューザー１および蓋部材２は、液体香料４０中の香成分を水成分と共にほぼ一定に気化させて最後まで気化させることができ、香成分が残ることが無く、香成分を効率良く使い切ることができる。すなわち、アロマディフューザー１および蓋部材２は、容器４中の液体香料４０の使用始めから最後までの間、均一もしくはほぼ均一の芳香を発生させることができる。しかも、アロマディフューザー１および蓋部材２は、液体香料４０が少なくなって液体香料４０中の水成分が少なくなり、液体香料４０中の香成分が残ったたとえばべとつき感の発生を抑制することができる。
【００３８】
アロマディフューザー１および蓋部材２は、エア供給部３と蓋５とに接続されていて、エア供給部３から供給されるエア３０を、気泡発生管６中に供給する気泡用エア３００と、容器４中に供給する加圧用エア３０１とに、分岐するエア分岐供給部８を備えるものである。この結果、アロマディフューザー１および蓋部材２は、加圧用エア３０１により、内圧７３を上げて弁７を開くことができる。これにより、アロマディフューザー１および蓋部材２は、気泡用エア３００により、内圧７３を上げて弁７を開く場合と比較して、エア供給部３の負荷を軽減することができ、しかも、液体香料４０中の気泡６０の発生音を低減することができる。
【００３９】
アロマディフューザー１および蓋部材２は、気泡用エア３００と加圧用エア３０１との分岐供給量を調節する分岐調節弁８２をエア分岐供給部８に設けたものである。この結果、アロマディフューザー１および蓋部材２は、気泡用エア３００と加圧用エア３０１との分岐供給量を調節することができるので、芳香空気７４の発散量（芳香の強弱）を調節することができる。たとえば、分岐調節弁８２を全開の時、気泡用エア３００の供給量が少なく、芳香が弱く、一方、分岐調節弁８２を絞った時、気泡用エア３００の供給量が多くなって芳香が強くなる。しかも、アロマディフューザー１および蓋部材２は、気泡用エア３００の供給量を少なくすることにより、液体香料４０中の気泡６０の発生音を低減することができる。なお、分岐調節弁８２を設けずに、エア調節弁３５の調節またはモータ３１の駆動の調節により、エア３０の供給量を調節するようにしても良い。
【００４０】
アロマディフューザー１および蓋部材２は、エア供給部３のエア供給管３４の途中にエア調節弁３５を設けたものである。この結果、アロマディフューザー１および蓋部材２は、エア３０（気泡用エア３００および加圧用エア３０１）の供給量を調節することができるので、芳香空気７４の発散量（芳香の強弱）を調節することができ、しかも、液体香料４０中の気泡６０の発生音を低減することができる。なお、エア調節弁３５を設けずに、モータ３１の駆動を調節して、エア３０の供給量を調節するようにしても良い。
【００４１】
（構成の説明）
図４は、本発明に係るアロマディフューザーの実施形態２を示す。以下、この実施形態２に係るアロマディフューザー１Ａ（以下、単に「アロマディフューザー１Ａ」と称する）の構成について説明する。図４中、図１〜図３と同符号は、同一のものを示す。なお、実施形態２では、実施形態１と同様の構成については、その説明を省略する。
【００４２】
（アロマディフューザー１Ａの説明）
前記のアロマディフューザー１は、エア分岐供給部８を備えるものである。これに対して、このアロマディフューザー１Ａは、エア分岐供給部８の代わりに、加圧用エア供給部３Ａを備えるものである。
【００４３】
（加圧用エア供給部３Ａの説明）
加圧用エア供給部３Ａは、エア供給部３と同様もしくはほぼ同様に、加圧用エア（圧縮エア）３０Ａを供給するものである。加圧用エア供給部３Ａは、モータ（図示せず）と、加圧用エア発生源としてのポンプ３２Ａと、加圧用エア吐出口部（図示せず）と、加圧用エア供給管３４Ａと、加圧用エア調節弁３５Ａと、を有する。ポンプ３２Ａは、モータの駆動により、作動して加圧用エア吐出口部から加圧用エア３０Ａを吐出する。加圧用エア供給管３４Ａの一端は、加圧用エア吐出口部に接続されていて、かつ、加圧用エア供給管３４Ａの他端は、蓋部材２の蓋５の加圧用エア入口部５２に接続されている。加圧用エア調節弁３５Ａは、この例では、図４中の二点鎖線にて示すように、加圧用エア供給管３４Ａの途中に設けられている。加圧用エア調節弁３５Ａは、加圧用エア３０Ａの供給量を調節するものである。なお、加圧用エア調節弁３５Ａを設けずに、モータの駆動を調節して、加圧用エア３０Ａの供給量を調節するようにしても良い。
【００４４】
（エア供給部３の説明）
このアロマディフューザー１Ａのエア供給部３は、実施形態１とは異なる接続管３６を備える。接続管３６は、Ｌ形状をなす。接続管３６の水平部の端は、エア供給管３４の他端に接続されている。接続管３６の垂直部の端は、蓋５の気泡用エア入口部５１および気泡発生管６の一端に接続されている。
【００４５】
（作用の説明）
以下、アロマディフューザー１Ａの作用について説明する。
【００４６】
まず、図４に示す状態において、エア供給部３のモータ３１を駆動させる。すると、エア発生源としてのポンプ３２が作動して、エア３０がエア吐出口部３３から吐出してエア供給管３４および接続管３６を通って気泡発生管６中に供給される。気泡発生管６中に供給されたエア３０すなわち気泡用エア３００は、気泡発生管６の下端から液体香料４０中に供給されて気泡６０となる。この気泡６０の作用は、前記のアロマディフューザー１の通りである。
【００４７】
一方、エア供給部３のモータ３１の駆動と同時もしくはほぼ同時に、加圧用エア供給部３Ａのモータを駆動させる。すると、加圧用エア発生源としてのポンプ３２Ａが作動して、加圧用エア３０Ａが加圧用エア吐出口部から吐出して加圧用エア供給管３４Ａを通って容器４中に供給される。この加圧用エア３０Ａの作用は、前記のアロマディフューザー１の加圧用エア３０１の通りである。
【００４８】
このようにして、容器４中の芳香空気（図２（Ｂ）中の破線矢印を参照）７４が開状態の弁７から容器４の外に発散する。また、エア供給部３のモータ３１の駆動と加圧用エア供給部３Ａのモータの駆動とを、同時もしくはほぼ同時に、停止させる。すると、弁７が閉じて、芳香空気７４の発散が遮断され、容器４中の液体香料４０の芳香が遮断される。
【００４９】
ここで、エア調節弁３５および加圧用エア調節弁３５Ａを調節して、エア供給部３からのエア３０すなわち気泡用エア３００の供給量と加圧用エア供給部３Ａからの加圧用エア３０Ａの供給量とを調節する。これにより、芳香空気７４の発散量（芳香の強弱）を調節することができ、しかも、液体香料４０中の気泡６０の発生音を低減することができる。なお、エア調節弁３５や加圧用エア調節弁３５Ａを設けずに、エア供給部３のモータ３１や加圧用エア供給部３Ａのモータの駆動を調節して、すなわち気泡用エア３００の供給量や加圧用エア３０Ａの供給量を調節するようにしても良い。
【００５０】
なお、このアロマディフューザー１Ａのその他の作用は、前記のアロマディフューザー１のその他の作用と同様もしくはほぼ同様である。
【００５１】
（効果の説明）
以上のような構成のアロマディフューザー１Ａでは、エア分岐供給部８の代わりに、加圧用エア供給部３Ａを備えるものである。この結果、このアロマディフューザー１Ａは、前記のアロマディフューザー１の効果と同様もしくはほぼ同様の効果を達成することができる。
【００５２】
（構成の説明）
図５、図６は、本発明に係るアロマディフューザーの実施形態３を示す。以下、この実施形態３に係るアロマディフューザー１Ｂ（以下、単に「アロマディフューザー１Ｂ」と称する）およびこのアロマディフューザー１Ｂ用の蓋部材２Ｂ（以下、単に「蓋部材２Ｂ」と称する）の構成について説明する。図５、図６中、図１〜図４と同符号は、同一のものを示す。
【００５３】
（アロマディフューザー１Ｂの説明）
前記のアロマディフューザー１は、エア分岐供給部８を備えるものであり、また、前記のアロマディフューザー１Ａは、加圧用エア供給部３Ａを備えるものである。これに対して、このアロマディフューザー１Ｂは、エア分岐供給部８あるいは加圧用エア供給部３Ａを備えないものである。
【００５４】
（蓋部材２Ｂの説明）
前記の蓋部材２は、エア分岐供給部８の接続管８１あるいは加圧用エア供給部３Ａの加圧用エア供給管３４Ａが接続されている加圧用エア入口部５２を有するものである。これに対して、この蓋部材２Ｂは、エア分岐供給部８の接続管８１あるいは加圧用エア供給部３Ａの加圧用エア供給管３４Ａが接続される加圧用エア入口部５２を有さないものである。
【００５５】
（作用の説明）
以下、アロマディフューザー１Ｂおよび蓋部材２Ｂの作用について説明する。
【００５６】
まず、図５に示す状態において、エア供給部３のモータ３１を駆動させる。すると、エア発生源としてのポンプ３２が作動して、エア３０がエア吐出口部３３から吐出してエア供給管３４および接続管３６を通って気泡発生管６中に供給される。気泡発生管６中に供給されたエア３０すなわち気泡用エア３００は、気泡発生管６の下端から液体香料４０中に供給されて気泡６０となる。この気泡６０の作用は、前記のアロマディフューザー１の通りである。
【００５７】
気泡６０が液体香料４０中を上昇して液体香料４０の液面に達成すると、気泡６０の水膜が破裂して、芳香空気（図２（Ｂ）中の破線矢印を参照）７４が容器４中に発散して内圧７３を上げる。これにより、内圧７３が外圧７２よりも大となると、弁７が開いて、容器４中の芳香空気７４が開いた弁７から容器４の外に発散する。また、エア供給部３のモータ３１の駆動を停止させると、弁７が閉じて、芳香空気７４の発散が遮断され、容器４中の液体香料４０の芳香が遮断される。
【００５８】
ここで、エア調節弁３５を調節して、エア供給部３からのエア３０（気泡用エア３００）の供給量を調節することにより、芳香空気７４の発散量（芳香の強弱）を調節することができ、しかも、液体香料４０中の気泡６０の発生音を低減することができる。なお、エア調節弁３５を設けずに、モータ３１の駆動を調節して、エア３０（気泡用エア３００）の供給量を調節するようにしても良い。
【００５９】
なお、このアロマディフューザー１Ｂおよび蓋部材２Ｂのその他の作用は、前記のアロマディフューザー１、１Ａおよび蓋部材２のその他の作用と同様もしくはほぼ同様である。
【００６０】
（効果の説明）
以上のような構成のアロマディフューザー１Ｂでは、前記のアロマディフューザー１、１Ａと比較して、エア供給部３の負荷および気泡６０の発生音が若干あるものの、前記のアロマディフューザー１、１Ａの効果と同様もしくはほぼ同様の効果を達成することができる。特に、このアロマディフューザー１Ｂは、エア分岐供給部８あるいは加圧用エア供給部３Ａを備えないものであるから、前記のアロマディフューザー１、１Ａと比較して、構造が簡単であり、しかも、製造コストが安価である。
【００６１】
この蓋部材２Ｂは、加圧用エア入口部５２を有さないものであるから、前記の蓋部材２と比較して、構造が簡単であり、しかも、製造コストが安価である。
【００６２】
（構成の説明）
図７は、本発明に係るアロマディフューザー１、１Ａ用の容器部材４００を示す。以下、この容器部材４００の構成について説明する。図７中、図１〜図６と同符号は、同一のものを示す。
【００６３】
（容器部材４００の説明）
容器部材４００は、容器４０４と蓋４０５との一体構造をなすものである。容器４０４は、この例では、光透過性の（透明な）ガラスもしくは合成樹脂から構成されている瓶、樹脂ボトル、樹脂パウチなどである。容器４０４中には、液体香料４０が収容されている。この容器４０４の取付部４４１と蓋４０５の取付部４５０とが一体となっている。なお、この容器４０４の取付部４４１と蓋４０５の取付部４５０とが、別体であって、一体に固定されているものであっても良い。また、容器４０４は、光不透過性の（不透明な）ガラスもしくは合成樹脂から構成されている瓶、樹脂ボトル、樹脂パウチなどであっても良い。
【００６４】
蓋４０５には、筒形状の気泡用エア入口部４５１と、筒形状の加圧用エア入口部４５２と、筒形状の出口部４５３と、が設けられている。また、蓋４０５には、取付孔４５４が気泡用エア入口部４５１に連通して設けられている。気泡用エア入口部４５１の内面と取付孔４５４の内面との間には、段部が形成されている。気泡用エア入口部４５１の開口部と筒形状の加圧用エア入口部４５２の開口部には、密閉シール４０１が設けられている。出口部４５３には、弁７が設けられている。
【００６５】
（作用の説明）
以下、容器部材４００の作用について説明する。
【００６６】
まず、図７に示す状態において、密閉シール４０１を気泡用エア入口部４５１と筒形状の加圧用エア入口部４５２から剥がす。つぎに、図７中の実線矢印に示すように、気泡発生管６を気泡用エア入口部４５１および取付孔４５４中に挿入する。
【００６７】
後は、図１、図４に示すように、気泡発生管６を液体香料４０中に挿入し、かつ、取付孔４５４に取り付ける。また、分岐管８０または接続管３６を気泡用エア入口部４５１および気泡発生管６に取り付ける。さらに、接続管８１または加圧用エア供給管３４Ａを加圧用エア入口部４５２に取り付ける。
【００６８】
これにより、前記のアロマディフューザー１、１Ａと同様に、エア供給部３のモータ３１や加圧用エア供給部３Ａのモータを駆動させる。すると、容器部材４００の容器４０４中の液体香料４０が撹拌されて気化し、芳香空気７４が発生する。そして、弁７が開いて、芳香空気７４が容器部材４００の外に発散する。しかも、エア供給部３のモータ３１や加圧用エア供給部３Ａのモータの駆動を停止させると、弁７が閉じて、芳香空気７４の発散が遮断され、容器４中の液体香料４０の芳香が遮断される。
【００６９】
（効果の説明）
容器部材４００は、液体香料４０が収容されている容器４０４と蓋４０５とを一体にし、その蓋４０５に気泡用エア入口部４５１、加圧用エア入口部４５２および出口部４５３を設け、出口部４５３に弁７を設けたものである。この結果、容器部材４００は、前記のアロマディフューザー１、１Ａおよび前記の蓋部材２と同様もしくはほぼ同様の効果を達成することができる。
【００７０】
しかも、容器部材４００は、気泡発生管６を備えることにより、エア供給部３や加圧用エア供給部３Ａを共有することができ、異なる芳香を、気軽に交換することができ、かつ、楽しむことができる。なお、気泡発生管６は、図７に示すように、容器部材４００と別体であるが、容器部材４００の取付孔４５４に予め取り付けておいても良い。また、気泡発生管６は、容器部材４００毎に交換しても良いし、また、芳香が同様の液体香料４０が収容されている容器部材４００の場合、再利用しても良い。
【００７１】
なお、この容器部材４００は、蓋４０５に加圧用エア入口部４５２を設けたものである。しかしながら、本発明においては、蓋に加圧用エア入口部を設けていない容器部材であっても良い。この場合は、前記のアロマディフューザー１Ｂおよび前記の蓋部材２Ｂと同様もしくはほぼ同様の作用、効果を達成することができる。
【００７２】
（構成の説明）
図８は、本発明に係るアロマディフューザーの実施形態４を示す。以下、この実施形態４に係るアロマディフューザー１Ｃ（以下、単に「アロマディフューザー１Ｃ」と称する）の構成について説明する。図８中、図１〜図７と同符号は、同一のものを示す。
【００７３】
（アロマディフューザー１Ｃの説明）
前記のアロマディフューザー１、１Ａ、１Ｂは、１個の蓋部材２、２Ｂおよび容器４を備えるものである。これに対して、このアロマディフューザー１Ｃは、複数個、この例では、２個の蓋部材２および容器４を備えるものである。また、前記のアロマディフューザー１は、１個のエア分岐供給部８を備えるものである。これに対して、このアロマディフューザー１Ｃは、複数個、この例では、２個のエア分岐供給部８を備えるものである。
【００７４】
このアロマディフューザー１Ｃのエア供給部３は、モータ（図示せず）と、エア発生源としてのポンプ３２と、エア吐出口部（図示せず）と、ポンプ３２のエア吐出口部に接続されているエア供給元管３７と、エア供給元管３７から枝分かれして２個の蓋部材２の気泡発生管（図示せず）にそれぞれ接続されている複数本、この例では、２本のエア供給枝管３８と、を有する。２本のエア供給枝管３８には、２本のエア供給枝管３８中のエア３０の供給量を調節するエア調節弁３５がそれぞれ設けられている。
【００７５】
２個のエア分岐供給部８は、エア供給部３の２本のエア供給枝管３８と２個の蓋部材２の蓋５とにそれぞれ接続されている。２個のエア分岐供給部８は、エア供給部３から供給されるエア３０を、２個の蓋５の気泡用エア入口部５１を経て２本の気泡発生管中にそれぞれ供給する気泡用エア（図示せず）と、２個の蓋５の加圧用エア入口部５２を経て２個の容器４中にそれぞれ供給する加圧用エア（図示せず）とに、それぞれ分岐する。
【００７６】
（作用の説明）
以下、アロマディフューザー１Ｃの作用について説明する。
【００７７】
まず、図８に示す状態において、エア供給部３のモータを駆動させる。すると、エア発生源としてのポンプ３２が作動して、エア３０がエア吐出口部から吐出してエア供給元管３７および２本のエア供給枝管３８を通って２個のエア分岐供給部８にそれぞれ供給される。２個のエア分岐供給部８にそれぞれ供給されたエア（図示せず）は、２個のエア分岐供給部８において、気泡用エアと加圧用エアとに、それぞれ分岐される。
【００７８】
２個のエア分岐供給部８において分岐された気泡用エアは、２個の蓋部材２の２本の気泡発生管中に供給される。２本の気泡発生管中に供給された気泡用エアは、２本の気泡発生管の下端から液体香料（図示せず）中に供給されて気泡（図示せず）となる。この気泡の作用は、前記のアロマディフューザー１の通りである。
【００７９】
一方、２個のエア分岐供給部８において分岐された加圧用エアは、２個の蓋部材２を介して２個の容器４中に供給される。この加圧用エアの作用は、前記のアロマディフューザー１の通りである。
【００８０】
このようにして、２個の容器４中の芳香空気（図示せず）が開状態の２個の弁７から２個の容器４の外に発散する。また、エア供給部３のモータの駆動を停止させると、２個の弁７が閉じて、２個の容器４の芳香空気の発散が遮断され、２個の容器４中の液体香料の芳香が遮断される。
【００８１】
ここで、２個のエア調節弁３５の開閉を同時に行うことにより、２個の容器４中の液体香料４０の芳香を同時に楽しむことができる。また、２個のエア調節弁３５のうち一方のエア調節弁３５を開いて、他方のエア調節弁３５を閉じる。または、２個のエア調節弁３５のうち一方のエア調節弁３５を閉じて、他方のエア調節弁３５を開く。これにより、２個の容器４のうち一方の容器４中の液体香料４０の芳香、または、他方の容器４中の液体香料４０の芳香を別々に楽しむことができる。
【００８２】
なお、このアロマディフューザー１Ｃのその他の作用は、前記のアロマディフューザー１のその他の作用と同様もしくはほぼ同様である。
【００８３】
（効果の説明）
以上のような構成のアロマディフューザー１Ｃでは、２個の蓋部材２、容器４および２個のエア分岐供給部８を備えるものである。かつ、このアロマディフューザー１Ｃのエア供給部３は、エア供給元管３７と、２本のエア供給枝管３８と、２個のエア調節弁３５を有するものである。この結果、アロマディフューザー１Ｃは、前記のアロマディフューザー１の効果と同様もしくはほぼ同様の効果を達成することができる。
【００８４】
しかも、このアロマディフューザー１Ｃは、２個の容器４中の液体香料４０の芳香を同時に楽しむことができる。また、このアロマディフューザー１Ｃは、２個の容器４のうち一方の容器４中の液体香料４０の芳香、または、他方の容器４中の液体香料４０の芳香を別々に楽しむことができる。
【００８５】
（構成の説明）
図９は、本発明に係るアロマディフューザーの実施形態５を示す。以下、この実施形態５に係るアロマディフューザー１Ｄ（以下、単に「アロマディフューザー１Ｄ」と称する）の構成について説明する。図９中、図１〜図８と同符号は、同一のものを示す。
【００８６】
（アロマディフューザー１Ｄの説明）
前記のアロマディフューザー１、１Ａ、１Ｂは、１個の蓋部材２、２Ｂおよび容器４を備えるものである。これに対して、このアロマディフューザー１Ｄは、前記のアロマディフューザー１Ｃと同様に、複数個、この例では、２個の蓋部材２および容器４を備えるものである。また、前記のアロマディフューザー１Ｃは、２個のエア分岐供給部８を備えるものである。これに対して、このアロマディフューザー１Ｄは、２個のエア分岐供給部８の代わりに、加圧用エア供給部３Ａを備えるものである。
【００８７】
このアロマディフューザー１Ｄの加圧用エア供給部３Ａは、モータ（図示せず）と、加圧用エア発生源としてのポンプ３２Ａと、エア吐出口部（図示せず）と、ポンプ３２Ａのエア吐出口部に接続されている加圧用エア供給元管３７Ａと、加圧用エア供給元管３７Ａから枝分かれして２個の蓋部材２の加圧用エア入口部５２にそれぞれ接続されている複数本、この例では、２本の加圧用エア供給枝管３８Ａと、を有する。２本の加圧用エア供給枝管３８Ａには、２本の加圧用エア供給枝管３８Ａ中の加圧用エア３０Ａの供給量を調節する加圧用エア調節弁３５Ａがそれぞれ設けられている。
【００８８】
（作用の説明）
以下、アロマディフューザー１Ｄの作用について説明する。
【００８９】
まず、図９に示す状態において、エア供給部３のモータを駆動させる。すると、エア発生源としてのポンプ３２が作動して、エア３０がエア吐出口部から吐出してエア供給元管３７および２本のエア供給枝管３８を通って２個の蓋５の気泡発生管中に供給される。気泡発生管中に供給されたエアすなわち気泡用エアは、気泡発生管の下端から液体香料中に供給されて気泡となる。この気泡の作用は、前記のアロマディフューザー１、１Ｃの通りである。
【００９０】
一方、エア供給部３のモータの駆動と同時もしくはほぼ同時に、加圧用エア供給部３Ａのモータを駆動させる。すると、加圧用エア発生源としてのポンプ３２Ａが作動して、加圧用エア３０Ａが加圧用エア吐出口部から吐出して加圧用エア供給元管３７Ａおよび２本の加圧用エア供給枝管３８Ａを通って２個の蓋５の加圧用エア入口部５２から２個の容器４中に供給される。この加圧用エア３０Ａの作用は、前記のアロマディフューザー１Ａの加圧用エア３０Ａの通りである。
【００９１】
このようにして、２個の容器４中の芳香空気が開状態の２個の弁７から２個の容器４の外に発散する。また、エア供給部３のモータの駆動と加圧用エア供給部３Ａのモータの駆動とを、同時もしくはほぼ同時に、停止させる。すると、２個の弁７が閉じて、２個の容器４の芳香空気の発散が遮断され、２個の容器４中の液体香料４０の芳香が遮断される。
【００９２】
ここで、２個のエア調節弁３５および２個の加圧用エア調節弁３５Ａを調節して、エア供給部３からのエア３０すなわち気泡用エアの供給量と加圧用エア供給部３Ａからの加圧用エア３０Ａの供給量とを調節する。これにより、２個の容器４の芳香空気の発散量（芳香の強弱）を調節することができ、しかも、液体香料中の気泡の発生音を低減することができる。
【００９３】
また、２個のエア調節弁３５および２個の加圧用エア調節弁３５Ａの開閉を同時に行うことにより、２個の容器４中の液体香料４０の芳香を同時に楽しむことができる。また、２個のエア調節弁３５および２個の加圧用エア調節弁３５Ａのうち一方のエア調節弁３５および一方の加圧用エア調節弁３５Ａを開いて、他方のエア調節弁３５および他方の加圧用エア調節弁３５Ａを閉じる。または、２個のエア調節弁３５および２個の加圧用エア調節弁３５Ａのうち一方のエア調節弁３５および一方の加圧用エア調節弁３５Ａを閉じて、他方のエア調節弁３５および他方の加圧用エア調節弁３５Ａを開く。これにより、２個の容器４のうち一方の容器４中の液体香料４０の芳香、または、他方の容器４中の液体香料４０の芳香を別々に楽しむことができる。
【００９４】
なお、このアロマディフューザー１Ｄのその他の作用は、前記のアロマディフューザー１Ａ、１Ｃのその他の作用と同様もしくはほぼ同様である。
【００９５】
（効果の説明）
以上のような構成のアロマディフューザー１Ｄでは、２個のエア分岐供給部８の代わりに、加圧用エア供給部３Ａ（加圧用エア供給元管３７Ａと、２本の加圧用エア供給枝管３８Ａと、２個の加圧用エア調節弁３５Ａとを有する）を備えるものである。この結果、このアロマディフューザー１Ｄは、前記のアロマディフューザー１Ａ、１Ｃの効果と同様もしくはほぼ同様の効果を達成することができる。
【００９６】
（実施形態以外の例の説明）
なお、前記の実施形態のアロマディフューザー１、１Ａ、１Ｂ、１Ｃ、１Ｄにおいて、照明装置や音響装置を併用して、芳香を楽しむと共に、照明や音響をも楽しむようにしても良い。
【００９７】
また、前記の実施形態のアロマディフューザー１、１Ａ、１Ｂ、１Ｃ、１Ｄにおいて、エア供給部３、加圧用エア供給部３Ａ、蓋５、５Ｂ、４０５および容器４、４０４は、それぞれ、別個に配置されている。しかしながら、本発明においては、エア供給部３、加圧用エア供給部３Ａ、蓋５、５Ｂ、４０５および容器４、４０４を、ハウジングやケーシングなどにより、一つにまとめて配置しても良い。
【００９８】
さらに、前記の実施形態の容器部材４００において、蓋４０５に加圧用エア入口部４５２を設けたものである。しかしながら、本発明においては、蓋４０５に加圧用エア入口部４５２を設けない容器部材であっても良い。この場合においては、加圧用エアを供給しない。
【００９９】
さらにまた、前記の実施形態のアロマディフューザー１Ｃにおいて、加圧用エア入口部５２を設けた蓋部材２の代わりに、加圧用エア入口部５２を設けない蓋部材２Ｂを使用しても良い。この場合においては、２個のエア分岐供給部８が不要であり、加圧用エアを供給しない。
【０１００】
さらにまた、前記の実施形態のアロマディフューザー１Ｄにおいて、加圧用エア入口部５２を設けた蓋部材２の代わりに、加圧用エア入口部５２を設けない蓋部材２Ｂを使用しても良い。この場合においては、加圧用エア供給部３Ａが不要であり、加圧用エアを供給しない。
【０１０１】
さらにまた、前記の実施形態のアロマディフューザー１Ｃ、１Ｄにおいて、３個以上の蓋部材２および容器４を備えるものであっても良い。この場合においては、３本以上のエア供給枝管３８および３個以上のエア分岐供給部８を、３本以上のエア供給枝管３８および３本以上の加圧用エア供給枝管３８Ａを、それぞれ必要とする。
【０１０２】
さらにまた、前記の実施形態のアロマディフューザー１、１Ａ、１Ｂ、１Ｃ、１Ｄにおいて、可撓性部材から構成されている逆止弁である弁７を使用するものである。しかしながら、本発明においては、弁（逆止弁）として、前記の弁７以外の弁を使用しても良い。例えば、フラップ式の弁などである。すなわち、常時弁部（弁体）が閉じていて、容器内のエアの圧力が規定の正圧以上となった際に、弁部（弁体）が開き、かつ、容器内のエアの圧力が規定の正圧未満となった際に、弁部（弁体）が再び閉じるものである。
【符号の説明】
【０１０３】
１、１Ａ、１Ｂ、１Ｃ、１Ｄ…アロマディフューザー、２、２Ｂ…蓋部材、３…エア供給部、３０…エア（圧縮エア）、３００…気泡用エア、３０１…加圧用エア、３１…モータ、３２…ポンプ（エア発生源）、３３…エア吐出口部、３４…エア供給管、３５…エア調節弁、３６…接続管、３７…エア供給元管、３８…エア供給枝管、３Ａ…加圧用エア供給部、３０Ａ…加圧用エア（圧縮エア）、３２Ａ…ポンプ（加圧用エア発生源）、３４Ａ…加圧用エア供給管、３５Ａ…加圧用エア調節弁、３７Ａ…加圧用エア供給元管、３８Ａ…加圧用エア供給枝管、４、４０４…容器、４０…液体香料、４１、４４１…取付部、４００…容器部材、４０１…密閉シール、５、５Ｂ、４０５…蓋、５０、４５０…取付部、５１、４５１…気泡用エア入口部、５２、４５２…加圧用エア入口部、５３、４５３…出口部、５４、４５４…取付孔、６…気泡発生管、６０…気泡、７…弁、７０…取付部、７１…弁部、７２…外圧（容器外の圧力であって大気圧）、７３…内圧（容器中の圧力）、７４…芳香空気、８…エア分岐供給部、８０…分岐管、８１…接続管、８２…分岐調節弁。
【図１】
2019071993.tif 000003
【図２】
2019071993.tif 000004
【図３】
2019071993.tif 000005
【図４】
2019071993.tif 000006
【図５】
2019071993.tif 000007
【図６】
2019071993.tif 000008
【図７】
2019071993.tif 000009
【図８】
2019071993.tif 000010
【図９】
2019071993.tif 000011